(57)【要約】【課題】目の衛生と健康を配慮し、多くても３回程度でマスカラ液を使い切れる使い捨て用マスカラ塗布具の提供。【解決手段】マスカラ液を充填封入するチューブ本体１と、チューブ本体１先端に連設しマスカラ液を供給ガイドするマスカラ液供給ガイド盲孔２aを内設した長ヘッド体２と、マスカラ液供給ガイド盲孔２aの長手方向一片側に添って等間隔に基端を直角連結して長ヘッド体２外に一列に櫛歯状に貫突するマスカラ液注出細管３群と、マスカラ液注出細管３間又は中に挟んで毛先をマスカラ液注出細管３先端よりも長くして長ヘッド体２に植毛したブラシ４と、長ヘッド体２とマスカラ液注出細管３群とブラシ４を一括着脱自在に被冠するキャップ５とを有する。【選択図】図１
2007136005.tif 000002
【特許請求の範囲】
【請求項１】
チューブ本体に内設したマスカラ液収納部と連通するマスカラ液供給ガイド盲孔を全長に亙って貫設した長ヘッド体を前記チューブ本体先端に一体連設し、
前記ガイド盲孔の長手方向一片側に添って等間隔に基端を連結したマスカラ液注出細管の先端を前記ヘッド体を櫛歯状に一列に貫突するとともにブラシの毛先を当該マスカラ液注出細管先端より長くして前記各マスカラ液注出細管の間又は中に挟んで前記長ヘッド体に植毛する、
ことを特徴とする使い捨て用マスカラ塗布具。
【請求項２】
前記チューブ本体は、
柔軟アルミニウム製、アルミニウム箔とプラスチックフィルムの柔軟ラミネート製又は柔軟プラスチック製である、
ことを特徴とする請求項１に記載の使い捨て用マスカラ塗布具。
【請求項３】
前記長ヘッド体は、
肉厚のそれぞれアルミニウム製又はソフトプラスチック製である、
ことを特徴とする請求項１又は２に記載の使い捨て用マスカラ塗布具。
【請求項４】
前記長ヘッド体は、マスカラ液注出細管群、ブラシは、全体を一括キャップで着脱被包自在に形成される、
ことを特徴とする請求項１，２又は３に記載の使い捨て用マスカラ塗布具。
【請求項５】
前記キャップは、
プラスチック製で頂部に摘み孔を貫設する、
ことを特徴とする請求項１，２、３、又は４に記載の使い捨て用マスカラ塗布具。
【請求項６】
前記チューブ本体は、
マスカラ液を前記マスカラ液収納部にマスカラ液を充填封入する封止端片端隣接同志を剥離又は分離自在に連着する、
ことを特徴とする請求項１，２、３、４又は５に記載の使い捨て用マスカラ塗布具。
【発明の詳細な説明】
【技術分野】
【０００１】
本発明は、多くても３回程度で充填封入したマスカラ液を使い尽きる
使い捨て用マスカラ塗布具に関するものである。
【背景技術】
【０００２】
この種マスカラ塗布具は、図４に示すようマスカラ液を収納したアルミニウム製ケースＡ内に、アルミニウム製ピンチキャップＢを摘んでシャフトＣ先端のブラシ部分Ｄを挿入し、ブラシ部分Ｄに付着したマスカラ液を睫毛に塗布するものであるが、一般的に高価な為３ヶ月程度の長きに亙って使用される。
【発明の開示】
【発明が解決しようとする課題】
【０００３】
その結果、ブラシ部分Ｄは長期の使用に耐えなければならず、しかも空気中に浮遊するゴミや塵や雑菌や黴菌等が付着し、あまつさえバクテリア等の巣窟となるため極めて不衛生で各種眼病の要因をなす。
【０００４】
又マスカラ液も使用当初は粘性が高くブラシ部分Ｄに不本意、不用意に大量に付着するために睫毛の塗布操作中に垂れて目に入ったり、コンタクトレンズの内側に浸入し、コンタクトレンズ内面を汚染し、視界不良となることは屡々経験する所のものである。
【０００５】
さらに、マスカラ液は次第に酸化変質劣化し、目の健康に悪影響を及ぼすとともに、早期に乾燥してブラシ部分Ｄへの付着が困難となり、睫毛への塗布も容易ではなくなり、長期の使用は当初使用に比べ何度も塗布操作を繰り返すと同時に睫毛に対して強く擦り付けるので睫毛も強く引張られ、その頻度が多くなればなる程、前記睫毛の不健康、不衛生も手伝って睫毛が抜ける最悪事態をも引き起こしているのが現状である。
しかも、マスカラ液の乾燥固結は最後迄使い尽きることが出来ない不経済性をも問われている。
【０００６】
この点を考慮してブラシ部分Ｄを筆毛に代えてケースＡ先端に取付け、マスカラ液を封入した取扱可能な弾性カートリッジをケースＡ内に充填して、使用時にケースＡ後端に被冠したキャップ状のノックを押してカートリッジを押圧し筆毛に適量のマスカラ液の注出を行えるノック式マスカラ塗布具が市販されているが、カートリッジは交換可能でも筆毛は交換不能である為、前記ブラシ同様の欠陥は免れず、カートリッジ交換は封入したマスカラ液の使い切る使用期間を３ヶ月程度に置いているので使用と共にカートリッジ内に空気の入り込む量が多くなるから、やはり酸化変質劣化は免れず次第にノックの押圧操作によってもマスカラ液の乾燥固化により筆毛への注出が悪くなり前記ブラシ同様これ又睫毛の抜毛の要因と為し、マガジン内のマスカラ液を完全に使い尽きることは出来ない欠陥を帯有する。
【０００７】
ここにおいて、本発明の主要な目的は次の通りである。
本発明の第１の目的は、目の衛生と健康を配慮した使い捨て用マスカラ塗布具を提供せんとするものである。
【０００８】
本発明の第２の目的は、多くても３回程度でマスカラ液を使いきれる使い捨て用マスカラ塗布具を提供せんとするものである。
【０００９】
本発明の第３の目的は、マスカラ液を収納する本体をチューブとして一回の通常押圧操作で一定必要量ブラシ部分に注出し得る使い捨て用マスカラ塗布具を提供せんとするものである。
【００１０】
本発明の第４の目的は、携帯用、保管用として一セットづつに一体に纏められる使い捨て用マスカラ塗布具を提供せんとするものである。
本発明のその他の目的は、明細書、図面、特に特許請求の範囲の各請求項の記載から自ずと明らかとなろう。
【課題を解決するための手段】
【００１１】
本発明は、前記目的の解決により、マスカラ液を封入する本体としてチューブを採用し３回程度で使い尽きる量とすること、当該チューブの押圧でチューブに連設する長ヘッド体のマスカラ液供給ガイド盲孔を途中経て、マスカラ液注出細管群から、当該マスカラ液注出細管の各自を長目に挟み込んだ塗布ブラシ部分に最適量注出すること、使い捨てとすること、の解決手段を次に列挙するそれぞれの新規な特許的構成手段を採用して前記目的を達成するようになされる。
【００１２】
即ち、本発明の第１の特徴は、チューブ本体に内設したマスカラ液収納部と連通するマスカラ液供給ガイド盲孔を全長に亙って貫設した長ヘッド体を前記チューブ本体先端に一体連設し、前記ガイド盲孔の長手方向一片側に添って等間隔に基端を連結したマスカラ液注出細管の先端を前記長ヘッド体を櫛歯状に一列に貫突するとともにブラシの毛先を当該マスカラ液注出細管先端より長くして前記各マスカラ液注出細管の間又は中に挟んで前記長ヘッド体に植毛してなる使い捨て用マスカラ塗布具の構成採用にある。
【００１３】
本発明の第２の特徴は、前記本発明の第１の特徴における前記チューブ本体が、柔軟アルミニウム製、アルミニウム箔とプラスチックフィルムの柔軟ラミネート製又は柔軟プラスチック製である使い捨て用マスカラ塗布具の構成採用にある。
【００１４】
本発明の第３の特徴は、前記本発明の第１又は第２の特徴における前記長ヘッド体が、肉厚のそれぞれアルミニウム製又はプラスチック製である、使い捨て用マスカラ塗布具の構成採用にある。
【００１５】
本発明の第４の特徴は、前記本発明の第１、第２、又は第３の特徴における前記長ヘッド体、マスカラ液注出細管群、ブラシが、全体を一括キャップで着脱被包自在に形成されてなる、使い捨て用マスカラ塗布具の構成採用にある。
【００１６】
本発明の第５の特徴は、前記本発明の第１、第２、第３、又は第４の特徴における前記キャップが、プラスチック製で頂部に摘み孔を貫設してなる、使い捨て用マスカラ塗布具の構成採用にある。
【００１７】
本発明の第６の特徴は、前記本発明の第１、第２、第３、第４、又は第５の特徴における前記チューブ本体が、マスカラ液を前記マスカラ液収納部に充填封入する封止端片端隣接同志を剥離又は分離自在に連着してなる、使い捨て用マスカラ塗布具の構成採用である。
【発明の効果】
【００１８】
以上の構成採用により、本発明は、マスカラ液が３回程度使用するに過ぎないので新鮮さを失わず、液出しがスムーズに適量行えるとともに、睫毛への塗布が無駄なく万遍なく行える。ブラシも、不使用時キャップで被冠されて外気に露出されないのでマスカラ液を使い切る迄の間では不衛生になることはなく、長期に亙り繰り返し再使用せず使い捨てなので常に衛生的であり、目の健康に支障を来たすことはない為、睫毛の抜毛の最悪事態を招来することもない。マスカラ液を乾燥固結して最後迄使い切れない無駄がなく経済的である。
【００１９】
その上、チューブ本体の封止端片端隣接同志を複数連着して一連にコンパクトに一纏めとし、使用毎に一つづつ切離して使用出来、ハンドバックや携帯旅行バックに収容可能でしかも保管にも場所を取らない。
【発明を実施するための最良の形態】
【００２０】
本発明の実施最良形態例を図１について説明する。
図中、１は封止端１aを開口してマスカラ液を内部のマスカラ液収納部１bに充填封入するチューブ本体、２はチューブ本体１の撫肩部１cの先首部に一体連設突出し内部にマスカラ液収納部１bと連通するマスカラ液供給ガイド盲孔２aを全長に亙って貫設した長ヘッド体、３はマスカラ液供給ガイド盲孔２aの長手方向一片側全長に添って等間隔に基端を直角連結連通し、先端を長ヘッド体２を貫通して櫛歯状に一列に貫突するマスカラ液注出細管群、４は毛先をマスカラ液注出細管３群より長くして各マスカラ液注出細管３間又は中に挟んで長ヘッド体２の同片側長手方向に沿って植毛したブラシ、５は頂部に摘み孔５aを設け、長ヘッド体２とマスカラ液抽出細管３群とブラシ４を一括着脱自在に被包するキャップである。
【００２１】
前記チューブ本体１は、胴部を摘持し易い中央を凹ませた狭搾形体の摘持部１dとし、透明又は不透明の例えばビニール等のソフト（柔軟性）プラスチック製、柔軟アルミニウム製又はアルミニウム箔とプラスチックフィルムの柔軟ラミネート製であり、前記長ヘッド体２は、肉厚のアルミニウム製又は塗布時睫毛に抵抗を与えない透明又は不透明のソフトプラスチック製であり、前記ブラシ４は、好ましくは、動物の柔らかい毛を採用すれば睫毛になじんで塗布し易く睫毛を痛めないないため最適であり、前記キャップ５は透明又は不透明のプラスチック製である。
【００２２】
以上が本実施最良形態例の単体構成であるが、これ等単体を複数体として図２及び図３では６〜７体、封止端１aの隣接相互を重合して剥離又は切り離し自在に接着又は融着により重着することにより一連に一壥りのコンパクト化を果し、保管用に又は旅行用ハンドバック等に収容して長期旅行携帯用に便ならしめることもできる。
【００２３】
かくして、本実施最良形態例の使用に当っては、図２及び図３の場合は一体切り離した単体のキャップ５を外してチューブ本体１の摘持部１dを摘持して所定の指圧力を加えてスクイズすれば、マスカラ液収納部１bから定量押出され長ヘッド体２のマスカラ液供給ガイド盲孔２a内に案内され、さらにマスカラ液注出細管３群の先端開口から一勢にブラシ４の毛先部に必要量注出され、チューブ本体１を摘んだままブラシ４毛先部に付着したマスカラ液aを睫毛に塗布延展せしめ、過剰注出により垂れて眼に入ることはない。
万が一、大目に注出しても摘持指圧力を緩めればマスカラ液注出細管３群内に吸引され常に適量調節が出来る。
【００２４】
このようにマスカラ塗布化粧操作が完了すればキャップ５を被冠してハンドバックや化粧箱に収納する。
なお、本発明の実施最良形態例では３回程度の使用による使い捨てなため、チューブ本体１のマスカラ液収納部１b及び充填封入したマスカラ液の酸化変質劣化と乾燥固化が進行しない前に使い切って使い捨てるので常に新鮮で粘着性及び延展性に富んだマスカラ液を使うことが出来るとともに、不使用時キャップ５を被冠して外部空気への露出を最少に抑え、外気に浮遊するホコリや塵や雑菌や黴菌等の付着が蓄積されずバクテリア菌の温床となる前に使用済みとなるので各種眼病の発症の怖れなく衛生的かつ健康的である。
【００２５】
しかも、チューブ本体１がソフトプラスチック採用の場合透明又は半透明とすれば内部のマスカラ液の使用量が確認出来、あと何回使用出来るか事前に知ることが可能となり、予備を失念する怖れはないとともにチューブ本体１に種々模様印刷やカラー彩色して嗜好性、趣向性、ファッション性を高めて楽しく使える等の優れた効果を発揮する。
【図面の簡単な説明】
【００２６】
【図１】本発明の透明素材で製作した単体概略透視側面図である。
【図２】本発明を６体一連に連着した透視概略側面図である。
【図３】本発明の使用時連着複数体から単体を分離する状態を説明する図である。
【図４】従来のマスカラ液塗布具のマスカラブラシを抜出した状態を説明した図である。
【符号の説明】
【００２７】
１ …チューブ本体
１a…封止端
１b…マスカラ液収納部
１c…撫肩部
２ …長ヘッド体
２a…マスカラ液供給ガイド盲孔
３ …マスカラ液注出細管
４ …ブラシ
５ …キャップ
５a…摘み孔
Ａ …ケース
Ｂ …ピンチキャップ
Ｃ …シャフト
Ｄ …ブラシ部分
【図１】
2007136005.tif 000003
【図２】
2007136005.tif 000004
【図３】
2007136005.tif 000005
【図４】
2007136005.tif 000006